(57)【要約】【課題】外部刺激に応じて光学量を制御する表示素子で、カラーフィルターを有さず、一画素で多色に変化させることが可能な新規な表示素子を提供することを目的とする。【解決手段】複数の構成単位である球状の微粒子１２を、規則的にかつ稠密に配列するように構成してなる周期構造体１４と、周期構造体１４を刺激させる外部刺激手段１５とを有し、外部刺激手段１５である電圧Ｖを印加して、微粒子１２の径を変化させ、周期構造体１４の周期ｄを変化させて光学量を制御し、可視光の反射波長および透過波長の少なくとも１つを変化させて、表示色を変化させるように構成する。【選択図】  図１
2005031172.tif 000002
【特許請求の範囲】
【請求項１】
複数の構成単位を規則的に配列してなる周期構造体と、前記周期構造体を刺激させる外部刺激手段とを有し、前記外部刺激手段によって、前記周期構造体の周期を変化させて、光学量を制御し表示色を変化させることを特徴とする表示素子。
【請求項２】
前記表示素子は、可視光の反射波長および透過波長の少なくとも１つを変化させて、表示色を変化させることを特徴とする請求項１記載の表示素子。
【請求項３】
前記周期構造体は、フォトニック結晶構造をしていて、前記外部刺激手段によって、前記フォトニック結晶の構成単位の大きさを変化させて、前記光学量を制御し表示色を変化させることを特徴とする請求項１から２の１つに記載の表示素子。
【請求項４】
前記周期構造体は、フォトニック結晶構造をしていて、前記外部刺激手段によって、前記フォトニック結晶の構成単位の配列を変化させて、前記光学量を制御し表示色を変化させることを特徴とする請求項１から３のいずれかに記載の表示素子。
【請求項５】
前記周期構造体は、フォトニック結晶構造をしていて、前記外部刺激手段によって、前記フォトニック結晶の構成単位の屈折率を変化させて、前記光学量を制御し表示色を変化させることを特徴とする請求項１から４のいずれかに記載の表示素子。
【請求項６】
前記周期構造体は、複数枚の前記構成単位である光学的薄膜を等しい径の間隙部を挟んでほぼ平行に配置するように構成していて、前記間隙部の径を変化させ、前記光学的薄膜面からの光干渉により、反射波長および透過波長の少なくとも１つを変化させることを特徴とする請求項１から５のいずれかに記載の表示素子。
【請求項７】
前記間隙部は、前記外部刺激手段によって、可逆的に膨潤／収縮しその径を変化させる高分子ゲルからなるように構成していることを特徴とする請求項６に記載の表示素子。
【請求項８】
前記周期構造体は、複数の前記構成単位である球状の微粒子を規則的にかつ稠密に配列するように構成していて、前記微粒子の径を変化させて、前記微粒子からの光回折干渉により、反射波長および透過波長の少なくとも１つを変化させることを特徴とする請求項１から５のいずれかに記載の表示素子。
【請求項９】
前記微粒子は、前記外部刺激手段によって、可逆的に膨潤／収縮しその径を変化させる高分子ゲルからなるように構成していることを特徴とする請求項８に記載の表示素子。
【請求項１０】
前記微粒子は、前記外部刺激手段によって、可逆的に膨潤／収縮しその径を変化させる多孔質材からなるように構成していることを特徴とする請求項８に記載の表示素子。
【請求項１１】
前記外部刺激手段は、電気，光，熱，磁気，機械及び圧力の群から選択される少なくとも１つによるものであることを特徴とする請求項１から１０のいずれかに記載の表示素子。
【発明の詳細な説明】
【０００１】
【発明の属する技術分野】
外部刺激に応じて光学量を制御する表示素子に関し、特に、カラーフィルターを有しないカラー表示素子に関する。
【０００２】
【従来の技術】
近年、紙に替わって省資源に有効なペーパーライクあるいはシート状の、表示情報を書き換え（リライタブル）自在に表示しかつ維持する電子ペーパーディスプレイの表示素子が各種提案されている。全体がシート状であるためには、可能な限り、表示素子としてのパネル構成要素を少なくする必要がある。従来、液晶などの表示素子は、染料や顔料を使用したカラーフィルターを設けてカラー表示している例が多いが、カラーフィルターを設けずにカラー表示する表示素子方式として、液晶を使ったＶＡＮ液晶やコレステリック液晶などがある。他方、他の材料を利用して、可視光の屈折、反射、干渉、回折、散乱などによって起こる発色現象によって構造色を発色させる研究もなされている（例えば、非特許文献１参照）。
【０００３】
非特許文献１によれば、単分散微粒子による構造色発色方法を利用した表示素子として、各可視波長に対してほぼ同一径を有するアクリル系の単分散微粒子の単分散度を高め、粒子径を可視光が干渉される径に設定し、かつ規則的に配列積層させ、それからのブラッグ光反射によって、干渉、反射、回折などによる発色現象のいわゆる構造色発色を利用したものが提案されている。
【０００４】
また、その発色配列法は、電気泳動法により、一定径のアクリル微粒子からなるサスペンジョン（浮遊）層と半透過膜で隔てた水層とにおいて、水層側にプラス電位、サスペンジョン層側にマイナス電位の電圧を印加して、微粒子を半透過膜上に規則的に配列積層させて発色させ、また、電圧を逆極性にして印加し、微粒子を分散状態（不規則的な配列状態）にして消色させるものである。
【０００５】
この従来の技術は、一定の径からなる微粒子を規則配列させて発色させ、逆に不規則配列させて消色する技術を示すものであり、この方法では反射波長を可変させることは技術的に困難という問題があるが、非特許文献１には波長可変の技術の開示はなされていない。
【０００６】
このように、現在では紙に替わって省資源に有効なペーパーライクあるいはシート状の、表示情報を自在に表示しかつ維持する電子ペーパーディスプレイの表示素子を実現するために、カラーフィルターを設けずにカラー表示する表示素子の実現が望まれている。
【０００７】
【非特許文献１】
吉田、奥田他３名、「単分散微粒子による構造色発色方法」、映像情報メディア学会、情報ディスプレイ研究会予稿集  ＩＤＹ２００３−４６  ｐｐ２５−２８
【０００８】
【発明が解決しようとする課題】
上述の非特許文献１では、電気泳動法により、サスペンジョン層中の一定径のアクリル系微粒子が電荷を帯びるのを利用し、半透過膜を介して電圧を印加することで、例えば、グリーン（緑）に対応する径を有する、黒色に着色した微粒子を規則配列させて緑色の反射波長で発色させたり、あるいは逆極性の電圧を印加して微粒子を不規則配列させることにより消色させるようにしている。この方法では、各ＲＧＢに対応して異なる径の微粒子を、ＲＧＢに対応した表示素子毎に分散させるものであるため、表示素子毎かあるいは画素単位毎に微粒子の径を変える必要があり、この場合においては、一画素において、反射波長を可変させることは技術的に困難であるという問題があった。
【０００９】
本発明は、このような問題に鑑みなされたもので、外部刺激に応じて光学量を制御する表示素子で、カラーフィルターを有さず、一画素で多色に変化させることが可能な新規な表示素子を提供することを目的とする。
【００１０】
【課題を解決するための手段】
本発明は、前記課題を解決するために、以下の手段を採用した。
【００１１】
すなわち、本発明の表示素子は、複数の構成単位を規則的に配列してなる周期構造体と、周期構造体を刺激させる外部刺激手段とを有し、外部刺激手段によって、周期構造体の周期を変化させて、光学量を制御し表示色を変化させることを特徴とすることを要旨とするものである。
【００１２】
また、本発明の表示素子は、可視光の反射波長および透過波長の少なくとも１つを変化させて、表示色を変化させることを特徴とするものである。
【００１３】
また、具体的には、周期構造体は、フォトニック結晶構造をしていて、外部刺激手段によって、フォトニック結晶の構成単位の大きさを変化させて、光学量を制御し表示色を変化させることを特徴とするものである。
【００１４】
また、周期構造体は、フォトニック結晶構造をしていて、外部刺激手段によって、フォトニック結晶の構成単位の配列を変化させて、光学量を制御し表示色を変化させることを特徴とするものである。
【００１５】
また、周期構造体は、フォトニック結晶構造をしていて、外部刺激手段によって、フォトニック結晶の構成単位の屈折率を変化させて、光学量を制御し表示色を変化させることを特徴とするものである。
【００１６】
また、更に具体的には、周期構造体は、複数枚の構成単位である光学的薄膜を等しい径の間隙部を挟んでほぼ平行に配置するように構成していて、間隙部の径を変化させ、光学的薄膜面からの光干渉により、反射波長および透過波長の少なくとも１つを変化させることを特徴とするものである。
【００１７】
また、更に詳細には、間隙部は、外部刺激手段によって、可逆的に膨潤／収縮しその径を変化させる高分子ゲルからなるように構成していることを特徴とするものである。
【００１８】
また、具体的には、周期構造体は、複数の構成単位である球状の微粒子を規則的にかつ稠密に配列するように構成していて、微粒子の径を変化させて、微粒子からの光回折干渉により、反射波長および透過波長の少なくとも１つを変化させることを特徴とするものである。
【００１９】
また、更に詳細には、微粒子は、外部刺激手段によって、可逆的に膨潤／収縮しその径を変化させる高分子ゲルからなるように構成していることを特徴とするものである。
【００２０】
また、微粒子は、外部刺激手段によって、可逆的に膨潤／収縮しその径を変化させる多孔質材からなるように構成していることを特徴とするものである。
【００２１】
また、具体的には、外部刺激手段は、電気，光，熱，磁気，機械および圧力の群から選択される少なくとも１つによるものであることを特徴とするものである。
【００２２】
なお、以上に述べた各構成は、本発明の趣旨を逸脱しない限り、互いに組み合わせることが可能である。
【００２３】
【発明の実施の形態】
以下、本発明の実施の形態について、図面を用いて説明する。
【００２４】
（実施の形態１）
図２は、本発明の実施の形態１による表示素子を示す断面概念図である。図２（ａ）において、表示素子１は、例えば層状物質である雲母片などの光学的薄膜２を複数枚、等しい径ｄ１の間隙部３を挟んで互いにほぼ平行に複数層積層配置し、規則的に配列して周期構造体６とし、構造的にフォトニック結晶として形成する。層間４には、例えば空気が介在している。周期構造体６の構成単位は、光学的薄膜２と層間４とからなる。フォトニック結晶とは、屈折率の異なる材料を周期的に配列した状態で、屈折率の違いによる光の閉じ込めを利用するものであり、上記では、空気の層間４に大きく屈折率が異なる光学的薄膜２を周期的に配列させることにより、表示素子１は、フォトニック結晶としての周期構造体６を形成するものである。上記光学的薄膜２は、可視光を反射／透過させる能力を有する薄膜という意味のものである。雲母片は層状物質であるが、有機溶媒に侵析することにより層間が膨潤して膨らむ。次に、その有機溶媒を飛ばすことにより、雲母片の層間４が開く。そして、例えば、光学的薄膜２である上記雲母片それぞれに貫通した小穴５を複数個形成する。小穴５は、雲母片を溶媒に侵析する前に一度に形成してもよい。次に、電圧印加などの外部刺激手段７によって、可逆的に膨潤／収縮しその径を変化させることが可能な後述する材料からなる刺激応答性の高分子ゲルを、各小穴５に注入して複数の間隙部３を形成し、それぞれ等しい径ｄ１の間隙部３により、複数枚の雲母片である光学的薄膜２をほぼ平行に維持する。この時、上記表示素子からは、鮮やかな可視光の反射色が視認できる。この可視光の構造色の発色メカニズムは、３次元結晶の波長オーダーの規則性に由来する光回折干渉を利用するものである。具体的には、（数１）に則った波長の光が強調され色光として確認される。
【００２５】
【数１】
2005031172.tif 000003
【００２６】
なお、（数１）でのｍは回折次数、λは波長、ｎは屈折率、ｄは格子面間隔で上記では薄膜面間隔に相当し、θは表示素子面の法線方向を０゜とする観察角度である。
【００２７】
図２（ａ）において、構成単位の光学的薄膜２と層間４を、間隙である周期ｄ１でほぼ平行に複数層配置したフォトニック結晶構造をなす周期構造体６からなる表示素子１は、（数１）によって、光干渉による波長λ１の可視光をブラッグ反射し発色する。また、この反射光を除いた可視光が透過して色づく。例えば、周期ｄ１を０．２５μｍとすると、表示素子法線方向で、反射波長λ１はほぼ０．５μｍとなり黄緑色の反射色を発色する。次に、図２（ｂ）において、外部刺激手段７である電圧Ｖを光学的薄膜２を挟んで設けた電極（図示省略）に印加して、酸化／還元反応により、刺激応答性の高分子ゲルからなる間隙部３を膨潤させ、その径ｄ２を周期ｄ２として０．３μｍへ大きく長く変化させ、周期構造体６の構成単位あるいは周期の大きさを変化させる。この時、（数１）により、反射波長λ２はほぼ０．６μｍとなり赤色を発色し、反射光は上記黄緑色から赤色へ色変化する。また、外部刺激手段７として逆極性の電圧を印加することにより、間隙部３の高分子ゲルは収縮して波長λ１に戻り、可逆的に表示色を変化させることができる。上記のように、間隙部３の径ｄを周期として可視光範囲に対応させてその周期を変化させることにより、波長λを可視光範囲で可逆的に変化させることが可能になる。
【００２８】
このように、上記のフォトニック結晶構造をなす周期構造体である表示素子は、その周期を変化させ、その構成単位の大きさを変化させることにより、その光学量を制御し、可視光の反射波長あるいは透過波長を変化させ、表示素子の各一画素の表示色を多色に変化させることにより、カラーフィルターが不要なカラーの表示素子とすることができる。
【００２９】
また、フォトニック結晶の構成単位として、平行に配置させるために光学的薄膜に設けられた間隙を変化させることにより、鮮やかな反射色あるいは透過の発色を変化させる表示素子とすることができる。
【００３０】
上記において、光学的薄膜２として雲母片を使用して説明したが、フィルム材料や薄膜材料や結晶材料片などを使用しても同様に実施可能である。また、間隙部３として、可逆的に膨潤／収縮してその大きさあるいは径を変化させる刺激応答性の高分子ゲルを使用して説明したが、電圧、光、熱、圧力、磁気、機械などの外部刺激手段により大きさを変化させる材料、例えば、圧力印加で伸び縮みする他の高分子ゲルや、電圧印加で変形変位するＰＺＴや、磁場を印加して薄膜の磁歪を利用して薄膜自身を歪ませることなどによっても同様に実施可能である。
【００３１】
（実施の形態２）
図１は、本発明の実施の形態２による表示素子を示す断面概念図である。図１（ａ）において、表示素子１０は、少なくとも一方が透明の薄膜であるフィルムやガラスなどからなる２枚の基板１１の間に、刺激応答性の高分子ゲルからなるほぼ同一径の球状の微粒子１２を構成単位として複数個、隣同士が接触するように規則的に稠密に配列して周期構造体１４とし、構造的にフォトニック結晶として形成する。屈折率がその周囲領域１３と異なる微粒子１２を周期的に配列させることにより、表示素子１０は、フォトニック結晶としての周期構造体１４を形成するものである。図１（ａ）に示すように、複数個の微粒子１２を規則配列することにより、互いに等間隔の格子面間隔ｄ３を形成する。格子面間隔ｄ３は微粒子の径Ｄと、ｄ３＝√２Ｄ／√３の関係にある。この時、構成単位の微粒子１２を格子面間隔ｄ３である周期ｄ３で平行に配置配列したフォトニック結晶構造をなす周期構造体１４からなる表示素子１０は、（数１）によって、光回折干渉により波長λの可視光をブラッグ反射し発色する。また、この反射光を除いた可視光が透過して色づく。例えば、周期ｄ３を０．２２μｍとすると、表示素子法線方向で、反射波長λ３はほぼ０．４４μｍとなり青色を発色する。次に、図１（ｂ）において、外部刺激手段１５である電圧Ｖを２枚の基板１１の各内面に設けた電極（図示省略）間に印加して、酸化／還元反応により、刺激応答性の高分子ゲルからなる球状の微粒子１２を膨潤させてその径を大きくし、格子面間隔ｄ４を周期ｄ４として０．３μｍへ変化させ、周期構造体１４の構成単位の大きさを変化させる。それと同時に、フォトニック結晶の構成単位の屈折率も変化する。この時、（数１）により、反射波長λ４はほぼ０．６μｍとなり赤色を発色し、反射光は上記青色から赤色へ色変化する。また、逆極性の電圧を基板１１間に印加することにより、全ての微粒子１２の高分子ゲルは収縮し、波長λ３に戻り、可逆的に表示色を変化させることができる。上記のように、格子面間隔ｄを周期として可視光範囲に対応させてその周期を変化させることにより、反射あるいは透過の波長λを可視光範囲で可逆的に変化させることが可能になる。電圧Ｖを対応させて調整変化させることにより波長λを可視光の波長範囲で表示色を赤、緑、青に変化させることができる。
【００３２】
このように、上記のフォトニック結晶構造をなす周期構造体である表示素子は、その周期を変化させ、その構成単位の大きさや屈折率を変化させることにより、その光学量を制御し、可視光の反射波長あるいは透過波長を変化させ、表示素子の各一画素の表示色を多色に変化させることにより、カラーフィルターが不要なカラーの表示素子とすることができる。
【００３３】
また、フォトニック結晶の構成単位を、規則的に稠密に配列した高分子ゲルからなる微粒子として、その微粒子の径、大きさを変えることにより、格子面間隔を変え屈折率を変化させ、その結果、鮮やかな発色の反射表示色あるいは透過の発色を変化させる表示素子とすることができる。
【００３４】
上記において、微粒子として刺激応答性の高分子ゲルを使用して説明したが、電圧、光、熱、圧力、磁気、機械などの外部刺激手段により、その大きさを変化させ、結果的にその材料密度を変化させ屈折率を変化させる材料であれば、同様に実施可能である。
【００３５】
上記実施の形態１、２における刺激応答性の高分子ゲルの例は、通電による酸化還元反応によって、周囲の液体などを吸収／放出し、体積変化（膨潤／収縮）する刺激応答性を有する高分子ゲルである。
【００３６】
刺激応答性の高分子ゲルの各種の例を以下に述べる。酸化還元反応により帯電状態（価数）が変化する基を有する化合物として、例えば、ビニル置換フェロセン誘導体などが使用できる。また、温度によって溶解度が変化する高分子化合物の例として、Ｎ−イソプロピルアクリルアミド等のＮ−アルキル置換（メタ）アクリルアミドなどが使用できる。また、酸化還元反応によりイオンを解離する基を有する高分子化合物の例として、ビニル置換ピラゾロキノン誘導体などが選ばれる。また、電離可能な基を有する高分子化合物の例として、（メタ）アクリル酸またはその塩などが使用できる。
【００３７】
また、上記での微粒子は、上記外部刺激手段によって、可逆的に膨潤／収縮してその径が変化し、密度、屈折率が変化する球状の多孔質材からなる微粒子でもよい。例えば、酸化還元反応により帯電状態が変化する基を有する高分子の架橋体と、温度によって溶解度が変化する高分子の架橋体とが、相互侵入網目構造となって多孔質材を形成する化合物としてもよい。具体的には、ポリビニル置換フェロセン誘導体の架橋体、ポリビニル置換ニコチン酸アミド誘導体の架橋体などと、ポリＮ−イソプロピルアクリルアミド等のポリＮ−アルキル置換（メタ）アクリルアミドの架橋体などとからなる相互侵入網目構造体が使用できる。
【００３８】
なお、上記で挙げた各具体的な材料は一例であって、その種の材料であれば使用できることは勿論である。さらに、上記各種材料を組み合わせた高分子ゲルが使用できる。
【００３９】
また、上記微粒子は、透明あるいは白色でもよいが、さらに鮮明な発色を得るために、黒色などでもよく、染料、顔料、光散乱材などの調光用材料を含有していてもよい。
【００４０】
（実施の形態３）
図３は、本発明の実施の形態３による表示素子を示す断面概念図である。図３の表示素子１８において、微粒子１９、２０は、それぞれ球形のＳｉＯ２（酸化シリコン）、ＴｉＯ２（酸化チタン）からなる微粒子であり、これらを基板２１間に積層して構成する。ＳｉＯ２の微粒子１９とＴｉＯ２の微粒子２０との規則配列で周期構造体２２とし、構造的にフォトニック結晶を構成していて、波長λで反射する。この状態に対して、外部刺激手段２３である光を照射すると、一方のＴｉＯ２の微粒子２０が、光触媒作用によりその屈折率を変化させる。しかし、微粒子の配列の仕方による照射前後での屈折率の変化はない。フォトニック結晶において、屈折率変化を伴う場合でも周期構造が維持されていればよく、光照射前後で、フォトニック結晶はその屈折率を変化させて、反射波長λを変え表示色を変化させることができる。また、上記で、微粒子としてＳｉＯ２、ＴｉＯ２を用いて説明したが、他の微粒子材料でも同様に実施可能である。また、光の照射による外部刺激手段で説明したが、他の外部刺激手段により、屈折率を一部変えることができる材料を用いてもよい。
【００４１】
（実施の形態４）
図４は、本発明の実施の形態４による表示素子を示す断面概念図である。図４の表示素子２５において、第１、第２、第３の光学的薄膜２６、２７、２８は、液晶層やフィルム薄膜などの薄膜からなる。微粒子２９には、上述した刺激応答性の高分子ゲルを使用する。各光学的薄膜２６、２７、２８と微粒子２９が少なくとも交互に積層された積層構造が、周期構造体３０であるフォトニック結晶の構成単位となる。外部刺激手段３１の電圧Ｖを外部から印加することにより、高分子ゲルの大きさ、屈折率を変え、上記多層膜からなる干渉フィルターを形成する表示素子の多色の発色を、違った他の多色の色に変化させることができる。
【００４２】
（実施の形態５）
図５は、本発明の実施の形態５による表示素子を示す断面概念図である。図５の表示素子３５において、フォトニック結晶からなる周期構造体３８の周期の少なくとも一部あるいは一領域に、その周囲の構成単位３６とは異なった屈折率あるいは大きさの構成単位３７を、その周期構造の一部に周期的欠陥を形成するように構成することにより、表示色を変化あるいは消色させることもできる。
【００４３】
このように、上記フォトニック結晶は、屈折率の異なる材料を周期的に配列した状態で、屈折率の違いによる光の閉じ込めを利用するものであるので、屈折率変化を伴う場合でも周期構造が維持されていればよく、また、大きさや配列の仕方を変える場合でも、その周期構造が維持されていればよい。また、フォトニック結晶としての周期構造は、屈折率の異なる材料を互いに隣接あるいは近接に、あるいはフォトニック結晶としてその周期構造が影響を及ぼす範囲に、規則的に配列した構成単位から構成されるものである。また、構成単位として、上記のような球状の微粒子や、平坦な光学的薄膜ではなく、その形状を楕円体、あるいは直方体や八方体などの多方体、あるいは扁平体などの変形形状としてもよい。これらの構成単位が形成する屈折率および大きさおよび配列方法の少なくとも１つについて周期構造の周期を、外部刺激手段により変化させることで、その光学量を制御し、反射波長や透過波長を変化させ、表示色を変化させる表示素子とするものである。
【００４４】
また、上記の表示素子のフォトニック結晶構造をなす周期構造体を刺激する外部刺激手段は、電圧印加手段である電気、あるいは光照射手段である光、温度変化手段である熱、あるいは磁場印加手段である磁気、機械変形手段である機械、あるいは圧力印加手段である圧力による刺激印加手段の少なくともいずれかによるものである。
【００４５】
なお、上記のフォトニック結晶からなる周期構造体である表示素子は、アクティブマトリックス型の表示装置や、パッシブマトリックス型（単純マトリックス型）の表示装置での画素に本発明の表示素子を利用することにより、マトリックス駆動表示させることが可能である。
【００４６】
【発明の効果】
以上のように、本発明によれば、屈折率の異なる材料を周期的に配列したフォトニック結晶構造をなす周期構造体である表示素子は、構成単位により形成される屈折率および大きさおよび配列方法の少なくとも１つについて周期構造の周期を、外部刺激手段によって変化させてその光学量を制御し、可視光の反射波長あるいは透過波長を変化させ、表示素子の各一画素の表示色を多色に変化させることにより、カラーフィルターが不要なカラーの表示素子とすることができる。
【図面の簡単な説明】
【図１】本発明の実施の形態２による表示素子を示す断面概念図
【図２】本発明の実施の形態１による表示素子を示す断面概念図
【図３】本発明の実施の形態３による表示素子を示す断面概念図
【図４】本発明の実施の形態４による表示素子を示す断面概念図
【図５】本発明の実施の形態５による表示素子を示す断面概念図
【符号の説明】
１  表示素子
２  光学的薄膜
３  間隙部
４  層間
５  小穴
６  周期構造体
７  外部刺激手段
１０  表示素子
１１  基板
１２  微粒子
１３  周囲領域
１４  周期構造体
１５  外部刺激手段
１８  表示素子
１９，２０  微粒子
２１  基板
２２  周期構造体
２３  外部刺激手段
２５  表示素子
２６，２７，２８  光学的薄膜
２９  微粒子
３０  周期構造体
３１  外部刺激手段
３５  表示素子
３６，３７  構成単位
３８  周期構造体
【図１】
2005031172.tif 000004
【図２】
2005031172.tif 000005
【図３】
2005031172.tif 000006
【図４】
2005031172.tif 000007
【図５】
2005031172.tif 000008